(57)【要約】【課題】無駄な電力消費を抑える。【解決手段】公衆基地局１０５−１〜１０５−３，１０７−１〜１０７−ｎからそれぞれ送信された固有の識別情報が移動通信端末１０１にて一定時間ごとに受信され、移動通信端末１０１が自営エリア１０２内に存在する場合に受信された識別情報と移動通信端末１０１が自営エリア１０２外に存在する場合に受信された識別情報とが比較され、それらに一致するものが存在する場合のみ移動通信端末１０１によって自営基地局１０４が検索される。【選択図】図１
2007116595.tif 000002
【特許請求の範囲】
【請求項１】
自営基地局と、固有の識別情報を送信する公衆基地局と、前記自営基地局との間及び前記公衆基地局との間にて双方からそれぞれ送信される信号を同時に待ち受けることが可能な移動通信端末とを有してなる移動通信システムにおいて、
前記移動通信端末は、前記識別情報を一定時間ごとに受信し、当該移動通信端末が前記自営基地局との間にて通信可能な自営エリア内に存在する場合に受信された識別情報と当該移動通信端末が前記自営エリアの外に存在する場合に受信された識別情報とを比較し、前記自営エリア内に存在する場合に受信された識別情報と前記自営エリアの外に存在する場合に受信された識別情報とに一致するものが存在する場合のみ前記自営基地局を検索することを特徴とする移動通信システム。
【請求項２】
請求項１に記載の移動通信システムにおいて、
前記移動通信端末は、記憶手段を有し、当該移動通信端末が前記自営エリア内に存在する場合に受信された識別情報を前記記憶手段に格納し、当該移動通信端末が前記自営エリアの外に存在する場合に受信された識別情報と前記記憶手段に格納された識別情報とを比較し、前記自営エリアの外に存在する場合に受信された識別情報と前記記憶手段に格納された識別情報とに一致するものが存在する場合のみ前記自営基地局を検索することを特徴とする移動通信システム。
【請求項３】
自営基地局との間及び公衆基地局との間にて双方からそれぞれ送信される信号を同時に待ち受けることが可能な移動通信端末であって、
前記公衆基地局から送信された識別情報を一定時間ごとに受信し、当該移動通信端末が前記自営基地局との間にて通信可能な自営エリア内に存在する場合に受信された識別情報と当該移動通信端末が前記自営エリアの外に存在する場合に受信された識別情報とを比較し、前記自営エリア内に存在する場合に受信された識別情報と前記自営エリアの外に存在する場合に受信された識別情報とに一致するものが存在する場合のみ前記自営基地局を検索する移動通信端末。
【請求項４】
請求項３に記載の移動通信端末において、
記憶手段を有し、当該移動通信端末が前記自営エリア内に存在する場合に受信された識別情報を前記記憶手段に格納し、当該移動通信端末が前記自営エリアの外に存在する場合に受信された識別情報と前記記憶手段に格納された識別情報とを比較し、前記自営エリアの外に存在する場合に受信された識別情報と前記記憶手段に格納された識別情報とに一致するものが存在する場合のみ前記自営基地局を検索することを特徴とする移動通信端末。
【請求項５】
自営基地局と、固有の識別情報を送信する公衆基地局と、前記自営基地局との間及び前記公衆基地局との間にて双方からそれぞれ送信される信号を同時に待ち受けることが可能な移動通信端末とを有してなる移動通信システムにおける省電力方法であって、
前記識別情報を一定時間ごとに前記移動通信端末にて受信する処理と、
前記移動通信端末が前記自営基地局との間にて通信可能な自営エリア内に存在する場合に当該移動通信端末にて受信された識別情報と当該移動通信端末が前記自営エリアの外に存在する場合に受信された識別情報とを比較する処理と、
前記自営エリア内に存在する場合に受信された識別情報と前記自営エリアの外に存在する場合に受信された識別情報とに一致するものが存在する場合のみ前記移動通信端末にて前記自営基地局を検索する処理とを有する省電力方法。
【請求項６】
請求項５に記載の省電力方法において、
前記移動通信端末が前記自営エリア内に存在する場合に当該移動通信端末にて受信された識別情報を当該移動通信端末に格納する処理と、
当該移動通信端末が前記自営エリアの外に存在する場合に受信された識別情報と前記移動通信端末に格納された識別情報とを比較する処理と、
前記自営エリアの外に存在する場合に受信された識別情報と前記格納された識別情報とに一致するものが存在する場合のみ前記移動通信端末が前記自営基地局を検索する処理とを有することを特徴とする省電力方法。
【発明の詳細な説明】
【技術分野】
【０００１】
本発明は、移動通信システムに関し、特に、自営モードと公衆モードとの２面待ち受けを行う移動通信システム、移動通信端末及びこれを用いた省電力方法に関する。
【背景技術】
【０００２】
従来より、移動通信システムにおいては、公衆システムに設置された公衆基地局から送信された信号を受信信号として待ち受けできる公衆モードと、事業所内等の特定のエリア内に設置された自営基地局から送信された信号を受信信号として待ち受けできる自営モードとの２面待ち受け動作が可能である移動通信端末が存在する。
【０００３】
図１０は、従来の移動通信システムにおける移動通信端末の移動の様子の一例を示す図である。
【０００４】
図１０に示すように、公衆エリア１００３内に自営アリア１００２が設定されており、自営モードと公衆モードとの２面待ち受けが可能な移動通信端末１００１が移動している。自営エリア１００２は、自営エリア１００２内に設置された自営基地局１００４との間にて通信が可能なエリアである。また、公衆エリア１００３は、公衆エリア１００３内に設置された公衆基地局１００５−１〜１００５−ｎとの間にて通信が可能なエリアである。ここで、移動通信端末１００１は、自営エリア１００２及び公衆エリア１００３にて通信を行うためのそれぞれの契約を予め行っていることを前提とする。
【０００５】
移動通信端末１００１は、自営エリア１００２外で且つ公衆エリア１００３内に存在する場合は、公衆エリア１００３におけるサービスを受ける公衆モードで動作しながら、一定時間ごとに自営エリア１００２内に設置された自営基地局１００４の検索を行う。
【０００６】
この自営基地局１００４の検索は、移動通信端末１００１が自営エリア１００２外に存在するときに、移動通信端末１００１自身の存在位置の認識ができないため、同期をとるために自営基地局１００４を探索する動作である。そのため、移動通信端末１００１が自営基地局１００４から明らかに遠い場所に存在する場合であっても、自営基地局１００４の検索が行われるため、無駄な検索による移動通信端末１００１の電力が消費されてしまう。
【０００７】
そこで、自営基地局１００４が検出されず、移動通信端末１００１が自営エリア１００２外に出たと判断された場合、公衆基地局１００５−１〜１００５−ｎから送信される基地局識別情報を移動通信端末１００１にて一定時間ごとに受信し、受信された識別情報が変化するまでは、自営基地局１００４の検索を行わない方法が考えられている（例えば、特許文献１参照。）。
【特許文献１】特開２０００−１５２３０６号公報
【発明の開示】
【発明が解決しようとする課題】
【０００８】
しかしながら、特許文献１に記載された方法においては、移動通信端末にて受信された識別情報が変化するたびに、自営基地局の検索が行われてしまい、それにより無駄に電力が消費されてしまうという問題点がある。
【０００９】
本発明は、上述したような従来の技術が有する問題点に鑑みてなされたものであって、無駄な電力消費を抑えることができる移動通信システム、移動通信端末及びこれを用いた省電力方法を提供することを目的とする。
【課題を解決するための手段】
【００１０】
上記目的を達成するために本発明は、
自営基地局と、固有の識別情報を送信する公衆基地局と、前記自営基地局との間及び前記公衆基地局との間にて双方からそれぞれ送信される信号を同時に待ち受けることが可能な移動通信端末とを有してなる移動通信システムにおいて、
前記移動通信端末は、前記識別情報を一定時間ごとに受信し、当該移動通信端末が前記自営基地局との間にて通信可能な自営エリア内に存在する場合に受信された識別情報と当該移動通信端末が前記自営エリアの外に存在する場合に受信された識別情報とを比較し、前記自営エリア内に存在する場合に受信された識別情報と前記自営エリアの外に存在する場合に受信された識別情報とに一致するものが存在する場合のみ前記自営基地局を検索することを特徴とする。
【００１１】
また、前記移動通信端末は、記憶手段を有し、当該移動通信端末が前記自営エリア内に存在する場合に受信された識別情報を前記記憶手段に格納し、当該移動通信端末が前記自営エリアの外に存在する場合に受信された識別情報と前記記憶手段に格納された識別情報とを比較し、前記自営エリアの外に存在する場合に受信された識別情報と前記記憶手段に格納された識別情報とに一致するものが存在する場合のみ前記自営基地局を検索することを特徴とする。
【００１２】
また、自営基地局との間及び公衆基地局との間にて双方からそれぞれ送信される信号を同時に待ち受けることが可能な移動通信端末であって、
前記公衆基地局から送信された識別情報を一定時間ごとに受信し、当該移動通信端末が前記自営基地局との間にて通信可能な自営エリア内に存在する場合に受信された識別情報と当該移動通信端末が前記自営エリアの外に存在する場合に受信された識別情報とを比較し、前記自営エリア内に存在する場合に受信された識別情報と前記自営エリアの外に存在する場合に受信された識別情報とに一致するものが存在する場合のみ前記自営基地局を検索する。
【００１３】
また、記憶手段を有し、当該移動通信端末が前記自営エリア内に存在する場合に受信された識別情報を前記記憶手段に格納し、当該移動通信端末が前記自営エリアの外に存在する場合に受信された識別情報と前記記憶手段に格納された識別情報とを比較し、前記自営エリアの外に存在する場合に受信された識別情報と前記記憶手段に格納された識別情報とに一致するものが存在する場合のみ前記自営基地局を検索することを特徴とする。
【００１４】
また、自営基地局と、固有の識別情報を送信する公衆基地局と、前記自営基地局との間及び前記公衆基地局との間にて双方からそれぞれ送信される信号を同時に待ち受けることが可能な移動通信端末とを有してなる移動通信システムにおける省電力方法であって、
前記識別情報を一定時間ごとに前記移動通信端末にて受信する処理と、
前記移動通信端末が前記自営基地局との間にて通信可能な自営エリア内に存在する場合に当該移動通信端末にて受信された識別情報と当該移動通信端末が前記自営エリアの外に存在する場合に受信された識別情報とを比較する処理と、
前記自営エリア内に存在する場合に受信された識別情報と前記自営エリアの外に存在する場合に受信された識別情報とに一致するものが存在する場合のみ前記移動通信端末にて前記自営基地局を検索する処理とを有する。
【００１５】
また、前記移動通信端末が前記自営エリア内に存在する場合に当該移動通信端末にて受信された識別情報を当該移動通信端末に格納する処理と、
当該移動通信端末が前記自営エリアの外に存在する場合に受信された識別情報と前記移動通信端末に格納された識別情報とを比較する処理と、
前記自営エリアの外に存在する場合に受信された識別情報と前記格納された識別情報とに一致するものが存在する場合のみ前記移動通信端末が前記自営基地局を検索する処理とを有することを特徴とする。
【００１６】
上記のように構成された本発明においては、公衆基地局から送信された識別情報が移動通信端末にて一定時間ごとに受信され、当該移動通信端末が自営エリア内に存在する場合に受信された識別情報と当該移動通信端末が自営エリアの外に存在する場合に受信された識別情報とが比較され、自営エリア内に存在する場合に受信された識別情報と自営エリアの外に存在する場合に受信された識別情報とに一致するものが存在する場合のみ自営基地局が検索される。
【００１７】
これにより、移動通信端末が自営基地局と通信が不可能である遠く離れた場所に存在する場合に、移動通信端末による自営基地局の検索が行われないため、その検索にかかる無駄な電力消費が抑えられ、移動通信端末の待ち受け時間が長くなる。
【発明の効果】
【００１８】
以上説明したように本発明においては、公衆基地局から送信された識別情報を移動通信端末にて一定時間ごとに受信し、当該移動通信端末が自営エリア内に存在する場合に受信された識別情報と当該移動通信端末が自営エリアの外に存在する場合に受信された識別情報とを比較し、自営エリア内に存在する場合に受信された識別情報と自営エリアの外に存在する場合に受信された識別情報とに一致するものが存在する場合のみ自営基地局を検索する構成としたため、無駄な電力消費を抑えることができる。
【発明を実施するための最良の形態】
【００１９】
以下に、本発明の実施の形態について図面を参照して説明する。
【００２０】
図１は、本発明の移動通信システムの一形態を示す図である。
【００２１】
本形態は図１に示すように、移動通信端末１０１と、自営基地局１０４と、公衆基地局１０５−１〜１０５−ｎと、公衆基地局１０７−１〜１０７−ｎとから構成されている。そして、移動通信端末１０１が公衆基地局１０５−１〜１０５−３及び公衆基地局１０７−１〜１０７−ｎとの間にて通信が可能なエリアである公衆エリア１０３内を移動している。また、公衆エリア１０３内に事業所等の特定の場所に設置された自営基地局１０４との間にて通信が可能なエリア、つまり移動通信端末１０１が自営基地局１０４を検出することができるエリアである自営エリア１０２と、移動通信端末１０１が自営基地局１０４を検索するか否かの境界である検索境界１０６とが設定されている。また、公衆基地局１０７−１〜１０７−ｎは、移動通信端末１０１が自営基地局１０４を検出できる場所に存在するときに、移動通信端末１０１との間にて通信ができない公衆基地局である。また、公衆基地局１０５−１〜１０５−３は、それ以外の公衆基地局である。また、公衆基地局１０５−１〜１０５−３及び公衆基地局１０７−１〜１０７−ｎは、それぞれを認識可能とする固有の識別情報をそれぞれ有しており、その識別情報は、一定周期で公衆基地局１０５−１〜１０５−３及び公衆基地局１０７−１〜１０７−ｎからそれぞれ送信される。また、移動通信端末１０１は、ＰＨＳ（Personal Handyphone System）であっても良いし、事業部システム圏と公衆圏との２面待ち受けのできる携帯電話であっても良いし、さらに、無線ＬＡＮ電話と携帯電話との２つの機能を有するデュアル電話機であっても良い。また、公衆基地局１０５−１〜１０５−３の数は３つの形態で説明するが、本発明を実施するには、数は３つに限らない。
【００２２】
図２は、図１に示した移動通信端末１０１が自営エリア１０２内に存在する場合の移動通信端末１０１と公衆基地局１０５−１〜１０５−３との関係を示す図である。
【００２３】
図２に示すように、移動通信端末１０１は、自営エリア１０２内に存在する場合、公衆基地局１０５−１〜１０５−３からそれぞれ送信された各公衆基地局１０５−１〜１０５−３の識別情報が受信される。
【００２４】
図３は、図１に示した移動通信端末１０１の一構成例を示す図である。
【００２５】
図１に示した移動通信端末１０１は図３に示すように、電波の送受信を行うアンテナ１３１と、アンテナ１３１を介して自営基地局１０４、公衆基地局１０５−１〜１０５−３及び公衆基地局１０７−１〜１０７−ｎとの間におけるデータのやりとりを無線にて行う無線部１３２と、移動通信端末１０１を所持するユーザが操作することにより情報が入力される操作部１３５と、所望の情報が格納される記憶部１３４と、操作部１３５を介して入力された情報及び各基地局との間にてやりとりされるデータに関する処理を行う制御部１３３とから構成されている。なお、図３に示した構成例では、本発明に関わる構成要素のみを示している。
【００２６】
図４は、図３に示した移動通信端末１０１の記憶部１３４に記憶されている内容の一例を示す図である。
【００２７】
記憶部１３４は図４に示すように、公衆基地局１０５−１〜１０５−３から送信されて移動通信端末１０１にて受信されたそれぞれの識別情報が格納されている。これは、図２にて説明したように、移動通信端末１０１が自営エリア１０２内に存在する場合、アンテナ１３１を介して無線部１３２にて受信された公衆基地局１０５−１〜１０５−３の識別情報が、制御部１３３によって記憶部１３４に格納される。
【００２８】
以下に、上記のように構成された移動通信システムにおける省電力方法について説明する。ここでは、図１に示した移動通信システムにおいて、移動通信端末１０１が、自営エリア１０２内から自営エリア１０２外へ移動し、さらに検索境界１０６の外側へ移動し、再度検索境界１０６の内側へ移動する場合を例に挙げて説明する。
【００２９】
最初に、移動通信端末１０１が自営エリア１０２内に存在する場合の処理について説明する。
【００３０】
図５は、図１に示した移動通信システムにおいて移動通信端末１０１が自営エリア１０２内に存在する場合の処理を説明するためのシーケンス図である。
【００３１】
まず、移動通信端末１０１によって移動通信端末１０１が自営エリア１０２内に存在することが検出される（ステップＳ１）。具体的には、移動通信端末１０１によって自営基地局１０４が検出される。
【００３２】
そして、公衆基地局１０５−１〜１０５−３からそれぞれ送信された各識別情報が、移動通信端末１０１のアンテナ１３１を介して無線部１３２にて受信され（ステップＳ２）、受信された識別情報が、制御部１３３によって記憶部１３４に格納される（ステップＳ３）。つまり、自営基地局１０４に近い場所に設置されている公衆基地局１０５−１〜１０５−３の識別情報が格納されることとなり、これらの識別情報が移動通信端末１０１にて受信されると移動通信端末１０１は自営基地局１０４から比較的近い場所に存在していると認識することができる。
【００３３】
そして、移動通信端末１０１の待ち受け状態は２面待ち受け状態のため、そのまま２面待ち受け状態を継続する（ステップＳ４）。
【００３４】
次に、移動通信端末１０１が自営エリア１０２外に出た場合の処理について説明する。
【００３５】
図６は、図１に示した移動通信システムにおいて移動通信端末１０１が自営エリア１０２外に出た場合の処理を説明するためのシーケンス図である。
【００３６】
移動通信端末１０１が自営エリア１０２外に出ると、移動通信端末１０１によって自営基地局１０４は検出されない（ステップＳ１１）。
【００３７】
そして、公衆基地局１０５−３から送信された識別情報が、移動通信端末１０１のアンテナ１３１を介して無線部１３２にて受信される（ステップＳ１２）。ここでは、公衆基地局１０５−３から送信された識別情報のみが移動通信端末１０１にて受信される場合を例に挙げる。
【００３８】
そして、受信された識別情報が、記憶部１３４に格納されている識別情報と比較される（ステップＳ１３）。公衆基地局１０５−３の識別情報は、移動通信端末１０１が自営エリア１０２内に存在するときに記憶部１３４に格納されているため、一致する識別情報が記憶部１３４に存在すると判断される。すると、移動通信端末１０１の待ち受け状態が２面待ち受け状態のまま継続される（ステップＳ１４）。
【００３９】
次に、移動通信端末１０１が検索境界１０６の外側に出た場合の処理について説明する。
【００４０】
図７は、図１に示した移動通信システムにおいて移動通信端末１０１が検索境界１０６の外側に出た場合の処理を説明するためのシーケンス図である。
【００４１】
すでに移動通信端末１０１が自営エリア１０２外に出ているため、移動通信端末１０１によって自営基地局１０４は検出されない（ステップＳ２１）。
【００４２】
そして、公衆基地局１０７−１から送信された識別情報が、移動通信端末１０１のアンテナ１３１を介して無線部１３２にて受信される（ステップＳ２２）。ここでは、公衆基地局１０７−１から送信された識別情報のみが移動通信端末１０１にて受信される場合を例に挙げる。
【００４３】
そして、受信された識別情報が、記憶部１３４に格納されている識別情報と比較される（ステップＳ２３）。公衆基地局１０７−１の識別情報は、記憶部１３４に格納されていないため、一致する識別情報が記憶部１３４に存在しないと判断される。すると、移動通信端末１０１の待ち受け状態が２面待ち受け状態から１面待ち受け状態に変更される（ステップＳ２４）。このように、移動通信端末１０１にて受信された識別情報と記憶部１３４に格納されている識別情報とが１つも一致しなくなった位置が図１に示した検索境界１０６となる。
【００４４】
つまり、移動通信端末１０１が検索境界１０６の外側に出ることにより自営基地局１０４から遠く離れたと判断されると、移動通信端末１０１の待ち受け状態が１面待ち受け状態となり、移動通信端末１０１における自営基地局１０４の検索を止め、検索のための無駄な電力消費を避けることができる。
【００４５】
次に、移動通信端末１０１が再度検索境界１０６の内側に入った場合の処理について説明する。
【００４６】
図８は、図１に示した移動通信システムにおいて移動通信端末１０１が再度検索境界１０６の内側に入った場合の処理を説明するためのシーケンス図である。このとき、移動通信端末１０１は検索境界１０６の内側に入ったが、まだ自営エリア１０２外に存在するとする。
【００４７】
移動通信端末１０１は、自営エリア１０２外に存在するため、自営基地局１０４は検出されない（ステップＳ３１）。
【００４８】
そして、公衆基地局１０５−３から送信された識別情報が、移動通信端末１０１のアンテナ１３１を介して無線部１３２にて受信される（ステップＳ３２）。ここでは、公衆基地局１０５−３から送信された識別情報のみが移動通信端末１０１にて受信される場合を例に挙げる。
【００４９】
そして、受信された識別情報が、記憶部１３４に格納されている識別情報と比較される（ステップＳ３３）。公衆基地局１０５−３の識別情報は、移動通信端末１０１が自営エリア１０２内に存在するときに記憶部１３４に格納されているため、一致する識別情報が記憶部１３４に存在すると判断される。すると、移動通信端末１０１の待ち受け状態が２面待ち受け状態に変更される（ステップＳ３４）。
【００５０】
図９は、図１に示した移動通信端末１０１における省電力方法を説明するためのフローチャートである。
【００５１】
まず、移動通信端末１０１が起動すると、待ち受け状態が初期状態である２面待ち受け状態に設定される（ステップＳ４１）。
【００５２】
そして、移動通信端末１０１が自営エリア１０２内に存在するかどうかが判断される（ステップＳ４２）。具体的には、移動通信端末１０１によって自営基地局１０４が検索される。なお、ステップＳ４２の処理は、移動通信端末１０１が自営エリア１０２内に存在すると判断されるまで繰り返される。
【００５３】
移動通信端末１０１が自営エリア１０２内に存在すると判断されると、公衆基地局から送信された識別情報が移動通信端末１０１のアンテナ１３１を介して無線部１３２にて受信され（ステップＳ４３）、受信された公衆基地局の識別情報が、制御部１３３によって記憶部１３４に格納される（ステップＳ４４）。
【００５４】
その後、再度移動通信端末１０１が自営エリア１０２内に存在するかどうかが判断される（ステップＳ４５）。
【００５５】
移動通信端末１０１が自営エリア１０２内に存在すると判断されると、ステップＳ４３の処理に戻る。
【００５６】
一方、移動通信端末１０１が自営エリア１０２内に存在しないと判断されると、公衆基地局から送信された識別情報が移動通信端末１０１のアンテナ１３１を介して無線部１３２にて受信され（ステップＳ４６）、受信された公衆基地局の識別情報とステップＳ４４にて記憶部１３４に格納された識別情報とに一致するものがあるかどうかが判断される（ステップＳ４７）。
【００５７】
受信された公衆基地局の識別情報と記憶部１３４に格納された識別情報とに一致するものがないと判断されると、移動通信端末１０１の待ち受け状態が１面待ち受け状態に変更され（ステップＳ４８）、ステップＳ４６の処理に戻る。
【００５８】
一方、受信された公衆基地局の識別情報と記憶部１３４に格納された識別情報とに一致するものがあると判断されると、移動通信端末１０１の待ち受け状態が２面待ち受け状態とされ（ステップＳ４９）、ステップＳ４５の処理に戻る。このとき、前状態が１面待ち受け状態である場合は、２面待ち受け状態に変更され、また、前状態が２面待ち受け状態である場合は、２面待ち受け状態が継続されることとなる。
【００５９】
なお、公衆基地局１０５−１〜１０５−３及び公衆基地局１０７−１〜１０７−ｎからそれぞれ送信される識別情報は、公衆基地局１０５−１〜１０５−３及び公衆基地局１０７−１〜１０７−ｎがそれぞれ有する固有のＩＤ等が好ましい。
【００６０】
また、公衆基地局１０５−１〜１０５−３の識別情報は、予め移動通信端末１０１の記憶部１３４に格納されていても良い。その場合、図９に示したフローチャートのステップＳ４２〜Ｓ４４の処理は不要となる。
【図面の簡単な説明】
【００６１】
【図１】本発明の移動通信システムの一形態を示す図である。
【図２】図１に示した移動通信端末が自営エリア内に存在する場合の移動通信端末と公衆基地局との関係を示す図である。
【図３】図１に示した移動通信端末の一構成例を示す図である。
【図４】図３に示した移動通信端末の記憶部に記憶されている内容の一例を示す図である。
【図５】図１に示した移動通信システムにおいて移動通信端末が自営エリア内に存在する場合の処理を説明するためのシーケンス図である。
【図６】図１に示した移動通信システムにおいて移動通信端末が自営エリア外に出た場合の処理を説明するためのシーケンス図である。
【図７】図１に示した移動通信システムにおいて移動通信端末が検索境界の外側に出た場合の処理を説明するためのシーケンス図である。
【図８】図１に示した移動通信システムにおいて移動通信端末が再度検索境界の内側に入った場合の処理を説明するためのシーケンス図である。
【図９】図１に示した移動通信端末における省電力方法を説明するためのフローチャートである。
【図１０】従来の移動通信システムにおける移動通信端末の移動の様子の一例を示す図である。
【符号の説明】
【００６２】
１０１    移動通信端末
１０２    自営エリア
１０３    公衆エリア
１０４    自営基地局
１０５−１〜１０５−３，１０７−１〜１０７−ｎ    公衆基地局
１０６    検索境界
１３１    アンテナ
１３２    無線部
１３３    制御部
１３４    記憶部
１３５    操作部
【図１】
2007116595.tif 000003
【図２】
2007116595.tif 000004
【図３】
2007116595.tif 000005
【図４】
2007116595.tif 000006
【図５】
2007116595.tif 000007
【図６】
2007116595.tif 000008
【図７】
2007116595.tif 000009
【図８】
2007116595.tif 000010
【図９】
2007116595.tif 000011
【図１０】
2007116595.tif 000012